(57)【要約】【課題】同じ動作が繰り返されることによる生体への磁気効果の緩和現象を減じて磁気効果をこれまで以上に向上させた磁気治療器を提供する。【解決手段】回転自在に保持された磁性体２と、当該磁性体２を回転させる磁界を発生するコイル３と、当該コイル３に回転電流を印加する制御手段４とを有する磁気治療器１において、コイル３に印加する前記回転電流の周期パターンを複数記憶するパターン記憶手段５と、パターン記憶手段５に記憶された複数の周期パターンのうちの１つを選択する入力手段８と、複数の周期パターンのうち、入力手段８によって選択される頻度が最も高い周期パターンを高頻度周期パターンとして記憶する高頻度パターン記憶部６とを備え、入力手段８によって周期パターンが選択されない場合は、制御手段４は前記高頻度パターン記憶部６に記憶された高頻度周期パターンに基づく動作を行うようにした。【選択図】図４
2013188280.tif 000002
【特許請求の範囲】
【請求項１】
回転自在に保持された磁性体と、当該磁性体を回転させる磁界を発生するコイルと、当該コイルに回転電流を印加する制御手段とを有する磁気治療器において、前記コイルに印加する前記回転電流の周期パターンを複数記憶するパターン記憶手段と、当該パターン記憶手段に記憶された前記複数の周期パターンのうちの１つを選択する入力手段と、前記複数の周期パターンのうち、前記入力手段によって選択される頻度が最も高い周期パターンを高頻度周期パターンとして記憶する高頻度パターン記憶部とを備え、前記入力手段によって前記周期パターンが選択されない場合は、前記制御手段は前記高頻度パターン記憶部に記憶された高頻度周期パターンに基づく動作を行うようにしたことを特徴とする磁気治療器。
【請求項２】
前記パターン記憶手段が記憶する前記周期パターンは、各々異なる周期の周期パターンを複数有する固定周期パターン群と、繰り返し周期が時間と共に変動する変動周期パターンを複数有する変動周期パターン群とから構成されることを特徴とする請求項１に記載の磁気治療器。
【発明の詳細な説明】
【技術分野】
【０００１】
本発明は生体に変動磁気を与えて凝りや血行を促進する磁気治療器に係り、特に生体への磁気効果の緩和現象を減じて磁気効果をこれまで以上に向上させた磁気治療器に関するものである。
【背景技術】
【０００２】
下記の特許文献１に簡易・小型の装置で、人体に間欠的にその極性が変化する磁場を与えることができる磁気治療器が開示されている。
【０００３】
図７を使用して特許文献１に開示された従来型磁気治療器の概略を説明する。
図７は特許文献１に開示された磁気治療器の構造を示す蓋体を外した状態の概略平面図であり、図中７０は非磁性体からなる容器本体、７１は該容器本体７０内に支軸によって回転自在に保持させた永久磁石体、７２は永久磁石体７１の周囲に巻回した電磁コイル、７３は電磁コイル７２に間欠的に電流を流す電源制御回路、７４は電磁コイル７２及び電源制御回路７３の電源となる電池であり、電源制御回路７３によって永久磁石体７１の回転方向を反転させるようにしたものである。
【先行技術文献】
【特許文献】
【０００４】
【特許文献１】特開２００２−２６３２０２公報
【発明の概要】
【発明が解決しようとする課題】
【０００５】
特許文献１に開示された従来の磁気治療器においては、永久磁石体７１の回転周期は一度設定すると、その状態が継続するので、長い間同じ状態が続くと生体への磁気効果が減少する、いわゆる緩和現象が生じるという問題点がある。
【０００６】
なお、特許文献１に係る特開２００２−２６３２０２公報の段落００２０において、”この切り替えサイクルを使用者が調整可能となしても無論差し支えない・・・”と記載されているが、使用者が睡眠中では切り替えサイクルを調整することは不可能であり、また目覚めている状態においても切り替えサイクルを変えることは煩雑であるばかりでなく、使用中の磁気治療器を患部から一旦外すか、又は調整が容易な位置に移動しなくてはならず、治療行為が中断されてしまうという問題点がある。
【０００７】
本発明は前記した従来技術の問題点を解決し、磁界反転の周期パターンを複数備え、使用者が繰り返し周期や周期変動を伴う種々のパターンを任意に選択できるようになし、生体への磁気効果の緩和現象を減じ、磁気治療効果をこれまで以上に向上させた磁気治療器を提供することを目的とするものである。
【課題を解決するための手段】
【０００８】
上記目的を達成するための本発明の構成を詳述すれば、請求項１に係る発明は、回転自在に保持された磁性体と、当該磁性体を回転させる磁界を発生するコイルと、当該コイルに回転電流を印加する制御手段とを有する磁気治療器において、前記コイルに印加する前記回転電流の周期パターンを複数記憶するパターン記憶手段と、当該パターン記憶手段に記憶された前記複数の周期パターンのうちの１つを選択する入力手段と、前記複数の周期パターンのうち、前記入力手段によって選択される頻度が最も高い周期パターンを高頻度周期パターンとして記憶する高頻度パターン記憶部とを備え、前記入力手段によって前記周期パターンが選択されない場合は、前記制御手段は前記高頻度パターン記憶部に記憶された高頻度周期パターンに基づく動作を行うようにしたことを特徴とする磁気治療器である。
【０００９】
また、請求項２に係る発明は、前記パターン記憶手段が記憶する前記周期パターンは、各々異なる周期の周期パターンを複数有する固定周期パターン群と、繰り返し周期が時間と共に変動する変動周期パターンを複数有する変動周期パターン群とから構成されることを特徴とする請求項１に記載の磁気治療器である。
【発明の効果】
【００１０】
上述のように、本発明に係る磁気治療器によれば、使用者は磁性体の回転周期のパターンを様々な中から自由に選択することができると共に、周期パターンは単に繰り返し周期だけでなく繰り返し周期が時間とともに変動するパターンも含んでいるので磁気的な刺激周期に時間変化を持たせることができるので、生体の緩和現象が生じ難くなり、これまで以上に治療効果を向上させることができる。
【００１１】
また、使用者が入力手段によって周期パターンを選択しない場合は、制御手段は高頻度パターン記憶部に記憶されている高頻度周期パターンに基づく動作を行うので所謂慣れによる緩和現象を抑止することができるものである。
【図面の簡単な説明】
【００１２】
【図１】本発明に係る磁気治療器の一実施形態を示す平面図である。
【図２】図１のＸ−Ｘ線に沿った断面図である。
【図３】図１に示した磁気治療器の底面図であり、図３（ａ）は後述する下面ケースを装着した状態を示し、図３（ｂ）は下面ケースを装着していない状態を示したものである。
【図４】本発明に係る磁気治療器の構成を示す機能ブロック図である。
【図５】本発明に係る磁気治療器における磁性体の６種類の周期パターンを示すタイミング図である。
【図６】本発明に係る磁気治療器の動作を示すフローチャートである。
【図７】従来型磁気治療器の構造を示す蓋体を外した概略平面図である。
【発明を実施するための形態】
【００１３】
以下、本発明に係る磁気治療器の具体的構成を図１〜図６を用いて詳細に説明する。
【００１４】
図１は本発明に係る磁気治療器の一実施形態を示す平面図であり、図中１は磁気治療器の全体を示す。当該磁気治療器１は約２０ｍｍ×４０ｍｍ、厚み約６ｍｍで手のひらに載る程度のサイズとなっている。
【００１５】
１０は当該磁気治療器１の外殻をなす上面ケースであり、当該上面ケース１０には磁気治療器１に水滴や汗等がかかっても機能に支障が生じないように、透明ないし半透明の合成樹脂製シート状物ないしフィルム１５が付設され、当該合成樹脂製シート状物ないしフィルム１５の下面には入力手段８、表示手段９が配設されている。
【００１６】
また、後述する磁性体２の回転状態を観測できるようにするため、上面ケース１０には観測用の窓孔１２を設けてあり、当該窓孔１２の上面には前記透明ないし半透明の合成樹脂製シート状物ないしフィルム１５が貼付されているので、使用者は当該合成樹脂製シート状物ないしフィルム１５を通して内部の磁性体２の回転状態を観測することができる。
【００１７】
入力手段８は磁気治療器１の起動および停止と、磁性体２の回転の周期パターンＰｒの設定を行うためのプッシュスイッチである。
【００１８】
表示手段９は入力手段８で設定した状態を使用者に報知するためのＬＥＤなどからなる発光素子である。
【００１９】
次に、図１のＸ−Ｘ線に沿った断面図である図２を用いて磁気治療器１の構造をさらに詳細に説明する。
【００２０】
磁気治療器１は上面ケース１０と下面ケース１１からなる収納容器の内部に磁性体２、コイル３、入力手段８、表示手段９およびマイクロプロセッサ等の電子部品を搭載してコイル３に電流を印加する回路基板からなる制御手段４とを有している。
【００２１】
コイル３は磁性体２の周囲に巻き回された電磁コイルである。
磁性体２は、支持材１６によって回転自在に保持されており、コイル３の巻き中心側に在ってコイル３に生じる磁界によって回転する。
【００２２】
上面ケース１０と下面ケース１１とはＯリングなどからなるパッキン１３を介して結合され、磁気治療器１本体内に水滴や汗がかかっても機能に支障が生じないように構成されている。図２中の１７は使用者の患部に貼付するため下面ケース１１の表面に形成した粘着層であり、繰り返し使用できるように耐久性を有する各種エラストマーやニトロセルロース系の粘着剤が好適に用いられる。
【００２３】
次に、図３を用いて磁気治療器１の背面側の構造を説明する。前記したように、図３は図１に示した磁気治療器の底面を示すものであり、図３（ａ）は下面ケースを装着した状態を示し、図３（ｂ）は下面ケースを装着していない状態を示したものである。なお、図３（ａ）においては、説明の便宜ため粘着層１７を点線で示してある。
【００２４】
図３（ａ）において、磁気治療器１の背面には電池を着脱するための電池蓋１８が備えられている。粘着層１７は磁気治療器１を使用者の肩や腰など患部に固定する作用をなすものである。
【００２５】
図３（ｂ）に示すように電池１４は電極７によって制御手段４に固定されている。
なお、磁性体２とコイル３については図２に示す断面図と同一であるから重複する説明は省略する。
【００２６】
次に図４〜図６を用いて本発明に係る磁気治療器１の動作を説明する。
図４は、磁気治療器１の各要素の機能を説明する機能ブロック図であり、図５は制御手段４のパターン記憶手段５に記憶されている６種類の周期パターンを示すタイミング図である。また、図６は磁気治療器１の動作手順を説明するフローチャートである。
【００２７】
図４において、入力手段８は周期パターンＰｒを選択する指示信号Ｓｓを出力して制御手段４に入力する。
なお、実施例では、入力手段８を２秒以上押し続けると制御手段４を起動または停止し、入力手段８を１秒以下で数回押すと、制御手段４は押し回数に応じた動作を行うように設定してある。詳細は後述する。
【００２８】
制御手段４はパターン記憶手段５と高頻度パターン記憶部６とから構成されている。制御手段４のパターン記憶手段５は、種々の周期パターンＰｒを記憶している。詳細にはこの周期パターンＰｒは、各々異なる周期の周期パターンを複数有する固定周期パターン群Ｐｒａと、繰り返し周期が時間と共に変動する変動周期パターンを複数有する変動周期パターン群Ｐｒｂとから構成される。
以下に図５を用いて詳述する。
【００２９】
図５は、制御手段４のパターン記憶手段５に記憶された６種類の周期パターンＰｒを一例として示したタイミング図であり、模式的に表した磁性体２が回転するタイミングを、横軸を時間として示したものである。
例えば、図５（ａ）はＴ１時間毎に磁性体２が半回転回転し、Ｎ極Ｓ極の位置が反転する様子を示し、図５（ｂ）〜（ｃ）では更に回転する間隔がＴ２、Ｔ３と長くなっている。
【００３０】
図５（ａ）〜（ｃ）は周期が固定されている固定周期パターン群Ｐｒａで、図５（ａ）から（ｃ）まで順に長くなる固定周期が設定される構成としている。
【００３１】
次に、図５（ｄ）〜（ｆ）は変動周期パターン群Ｐｒｂを示すもので、図５（ｄ）は１秒から３秒まで周期が１分毎に変わる変動周期パターンを示し、図５（ｅ）は１秒から３秒まで周期が２分毎に変わる変動周期パターンを示すものである。図５（ｆ）は１秒から５秒まで周期が連続的に変わる変動周期パターンを示すものである。
なお、上記以外にも、例えば「１／ｆゆらぎ」に基づく周期パターンなど、好みに応じた周期パターンを設定することも勿論可能である。
【００３２】
高頻度パターン記憶部６は、磁気治療器１の使用状況を記憶する機能を有しており、使用者が磁気治療器１を過去に使用した履歴から、最も使用頻度の高い周期パターンＰｒを高頻度周期パターンＰｒｓとして記憶する。
【００３３】
再び図４の機能ブロック図において、制御手段４は実施例ではワンチップマイクロコンピュータであって、パターン記憶手段５と高頻度パターン記憶部６とを不揮発性メモリとしてソフトウエアの形で保有している。
【００３４】
制御手段４は入力手段８で選択された周期パターンＰｒに応じた回転電流Ｃｒを、電流極性を交互に切り替えてコイル３に印加する。
コイル３は極性が交互に切り替わる回転電流Ｃｒによって、磁極の極性が交互に切り替わる磁界Ｍｒを発生する。
【００３５】
磁性体２は磁界Ｍｒと同方向に磁化されており、図４に示す磁性体２の一方の片側半分の”Ｎ”はＮ極であり、他方の片側の”Ｓ”はＳ極であることを示し、コイル３による磁界Ｍｒの影響を受け周期パターンＰｒに応じた周期パターンで回転する。
【００３６】
また、制御手段４は入力手段８によって選択された周期パターンＰｒを使用者に知らせる報知信号Ｈｓを出力し表示手段９に入力する。表示手段９は例えば発光ダイオードで、制御手段４から入力される報知信号Ｈｓに従って点滅を行い選択された周期パターンＰｒを使用者に報知する。例えば３回点滅すると、入力手段８によって３番目の周期パターンＰｒが選択されたことを知らせる。なお、表示手段９として数字表示素子や液晶表示器を用いても良い。
【００３７】
次に、図６を用いて磁気治療器１の動作フローを説明する。
＜Ｓ１＞
使用者が入力手段８を、例えば２秒以上押すと磁気治療器１は起動する。
【００３８】
＜Ｓ２＞
使用者が入力手段８の操作をしないと、磁気治療器１は自動的に制御手段４の高頻度パターン記憶部６に記憶された高頻度周期パターンＰｒｓで動作を開始する。
【００３９】
＜Ｓ３＞
使用者が入力手段８を１秒以下押すと、押した回数に応じて周期パターンＰｒが選択される。一例を示すと、使用者が入力手段８を３回押すと制御手段４のパターン記憶手段５に記憶された、たとえば６種類の周期パターンＰｒの３番目の周期パターンＰｒが選択される。
【００４０】
＜Ｓ４＞
この場合、表示手段９は３回連続して点滅し、使用者が３番目の周期パターンＰｒを選択したことを報知し、所定の動作を開始する。なお、表示手段９の報知動作は、入力手段８が操作されたとき、または入力手段８の動作中に行うことも可能である。
【００４１】
＜Ｓ５＞
使用者が入力手段８を２秒以上押すと磁気治療器１は動作を停止する。なお、所定の時間後、自動的に動作を停止するいわゆるオフタイマー動作を備えることも可能である。
【００４２】
＜Ｓ６＞
制御手段４の高頻度パターン記憶部６は、使用者によって選択された周期パターンＰｒ、または使用者によって周期パターンＰｒが選択されなかった場合は記憶されている高頻度周期パターンＰｒｓを、再び高頻度パターン記憶部６に記憶する。なお、高頻度パターン記憶部６は、累計の使用回数から高頻度周期パターンＰｒｓを選定し記憶する。
【００４３】
以上のように、本発明に係る磁気治療器によれば、使用者は磁性体の周期のパターンを様々な中から設定可能で、また周期パターンは単に繰り返し周期だけでなく繰り返し周期が時間とともに変動する変動周期パターンをも含み磁気的な刺激に時間変化を持たせることができるので、生体の緩和現象が生じ難くい治療効果の高い磁気治療器を提供することができる。
【符号の説明】
【００４４】
１：磁気治療器
２：磁性体
３：コイル
４：制御手段
５：パターン記憶手段
６：高頻度パターン記憶部
７：電極
８：入力手段
９：表示手段
１０：上面ケース
１１：下面ケース
１２：窓孔
１３：パッキン
１４：電池
１５：合成樹脂製シート状物ないしフィルム
１６：支持材
１７：粘着層
１８：電池蓋
Ｃｒ：回転電流
Ｐｒ：周期パターン
Ｐｒｓ：高頻度周期パターン
Ｍｒ：磁界
Ｓｓ：指示信号
Ｐｒａ：固定周期パターン群
Ｐｒｂ：変動周期パターン群
Ｈｓ：報知信号
Ｎ：Ｎ極
Ｓ：Ｓ極
【図１】
2013188280.tif 000003
【図２】
2013188280.tif 000004
【図３】
2013188280.tif 000005
【図４】
2013188280.tif 000006
【図５】
2013188280.tif 000007
【図６】
2013188280.tif 000008
【図７】
2013188280.tif 000009